(57)【特許請求の範囲】
【請求項１】
a) 厚紙製の、上下方向の長さがL、左右方向の幅がWであって、左右いずれかの側辺に押圧突起を有するフック孔を備えた背板と、
b) 厚さWの厚紙製の、基端部と、商品吊下部と、該基端部と該商品吊下部の間に設けられた上下幅Lの頸部を有し、該基端部の上部又は下部に乗越部が設けられているフックと
を有することを特徴とするハンガーディスプレイ。
【請求項２】
前記押圧突起が存在する側辺に対向する側辺に逃げがなく、前記押圧突起の突出量がフック孔の幅Wの1/2〜1/4である請求項１に記載のハンガーディスプレイ。
【請求項３】
前記押圧突起が存在する側辺に対向する側辺に逃げが設けられており、前記押圧突起の突出量がW/2〜Wである請求項１に記載のハンガーディスプレイ。
【請求項４】
前記押圧突起が、左右側辺の双方に設けられている請求項１〜３のいずれかに記載のハンガーディスプレイ。
【請求項５】
前記乗越部の、頸部の対応する溝からの突出量がW/2〜Wである請求項１〜４のいずれかに記載のハンガーディスプレイ。
【請求項６】
前記フックが、少なくとも基端部と頸部の部分において2枚の厚紙を2つ折りにしたものであり、前記フック孔の幅を倍にした請求項１〜５のいずれかに記載のハンガーディスプレイ。
【発明の詳細な説明】
【技術分野】
【０００１】
本発明は、1枚の背板と、その表面に取り付けられた複数のフックから成る、壁等の表面に掛けて、複数の商品を吊り下げて展示するためのハンガーディスプレイに関する。
【背景技術】
【０００２】
このようなハンガーディスプレイは、小物文具やパッケージ入りの衣類等を多数吊り下げ、展示するために用いられるが、商品の展示効率が高いため、商店などで多く用いられている。
【０００３】
この種のハンガーディスプレイの背板には厚紙やプラスチック板が使用されるが、その表面に取り付けられる、商品を吊り下げるためのフックには、金属製又はプラスチック製のものが用いられている。これは、小物の商品であっても或る程度の重量を持つため、それに耐えるためには所定の強度が必要であるというのが主な理由である。また、フックが背板に対して確実に固定されていないと、吊るされた商品が動いたり、複数の商品の陳列がばらばらになる等、展示効果（広告効果）が減殺するため、背板に対する固定という点でも有利なためである。
【０００４】
背板とフックが紙とプラスチック、又は紙と金属、或いはプラスチックと金属と、両者が異なる材質から成る場合、そのハンガーディスプレイを廃棄する際には背板からフックを取り外して分別する必要があり、手間がかかっていた。また、背板とフックがともにプラスチックから成る場合であっても、両者が異なる材質である場合が多く、リサイクルの場合には分別する必要があるとともに、たとえ同じ材質であったとしても、プラスチックそのものが、廃棄の際に環境に負荷を掛けるという問題がある。
【０００５】
このような問題を解決するために、特許文献１及び２には、ハンガーディスプレイの背板とフックが共に紙製であるものが開示されている。すなわち、特許文献１には、複数の縦長のフック挿入孔（長孔）を有する紙製の背板と、フック挿入孔に挿入される紙製のフックを有するハンガーディスプレイが開示されている。また、特許文献２には、複数の長孔を有する台紙製の背板と、長孔に着脱可能である板紙製の商品吊下フックを有するハンガーディスプレイが開示されている。
【先行技術文献】
【特許文献】
【０００６】
【特許文献１】特開2011-135951号公報
【特許文献２】実登3161386号公報
【発明の概要】
【発明が解決しようとする課題】
【０００７】
特許文献１及び２に記載のハンガーディスプレイはともに、フックと背板が共に厚紙から成るが、フックの背板に対する固定が弱いという問題がある。すなわち、特許文献１に記載のハンガーディスプレイでは、紙製フック（紙製ハング板）は、その後方の背面突出部を背板に設けた縦長のハング板挿入孔に挿入した後、全体を下方にスライドさせ、傾き防止突起を傾き防止穴に嵌める、という方法で背板に固定する。このため、第一に、紙製フックはその固定孔（ハング板挿入孔）には完全には固定されず、上下には遊嵌されていることになり、上方向に移動が可能となっている。従って、紙製フック（紙製ハング板）の背板への固定という点では十分なものではなく、紙製フックに吊り下げられた商品を取り出す際に、商品と一緒に紙製フックも背板から外れるという可能性があった。なお、特許文献１ではこのように1個の単体の紙製ハング板のみで背板に固定することが困難であることを十分認識しており、その実施例２及び３では、一対の紙製ハング板を、結合板部の左右に上下方向の折曲線に沿って折曲可能にしたものを用い、複数の紙製ハング板を連結したものを用いている。また、特許文献１に記載のハンガーディスプレイは、紙製フックを取り付けた後の傾きを防止するために、紙製フックを挿入する孔とは別に傾き防止穴を設け、それに対応する傾き防止突起を設けるという複雑な構造を採用している。
【０００８】
特許文献２に記載の商品展示用具では、板紙製商品吊下具は、2枚の商品吊下用板部材を一方の側辺で糊付けして他方の側辺を開くようにして構成されており、開いた方の側辺を手で閉じて取付用台紙板の長孔に差し込み、その後手を離すと、他方の側辺が開いて板紙製商品吊下具が長孔に保持されるというものである。この板紙製商品吊下具も、基端側を長孔に差し込んで、基端と本体の境（頸部）の下側に設けた溝を長孔の下端に引っかけた後は、板紙製商品吊下具は長孔に対して遊嵌された状態となる。従って特許文献１に記載のものと同様、紙製フックに吊り下げられた商品を取り出す際に商品と一緒に紙製フックも背板から外れるという可能性があった。
【０００９】
本発明は、このような課題を解決するために成されたものであり、その目的は、全体が紙製材料から成るハンガーディスプレイであって、紙製のフックが背板に対して確実に固定されるものを提供することである。
【課題を解決するための手段】
【００１０】
上記課題を解決するために成された本発明に係るハンガーディスプレイは、
a) 厚紙製の、上下方向の長さがL、左右方向の幅がWであって、左右いずれかの側辺に押圧突起を有するフック孔を備えた背板と、
b) 厚さWの厚紙製の、基端部と、商品吊下部と、該基端部と該商品吊下部の間に設けられた上下幅Lの頸部を有し、該基端部の上部又は下部に乗越部が設けられているフックと
を有することを特徴とする。
【００１１】
ここで、頸部とは、その両側の基端部及び商品吊下部よりも上下の幅が小さい部分であることを意味し、従って、その上下にそれぞれ溝を有する。
【００１２】
本発明に係るハンガーディスプレイでは、フックの基端部を背板のフック孔に差し込み、フックの頸部を丁度フック孔に位置させた状態でフックを背板に固定する。フックをフック孔に差し込む際、基端部の上下方向の長さはフック孔の上下方向の長さ（すなわち、頸部の上下幅）Lよりも大きく、フック孔の左右いずれかの側辺には押圧突起が存在するが、フックが厚紙製であることから、基端部を差し込む際に少し力を入れることにより、基端部が弾性的に変形し、基端部はその上部又は下部の乗越部がフック孔を乗り越えて基端部全体がフック孔を通り抜け、フックのフック孔への差し込みが可能となる。基端部が差し込まれた後は、フックの頸部の上下方向の長さがフック孔の上下方向の長さと等しく、頸部が左右方向にフック孔の押圧突起により押圧されることから、フックはフック孔に確実に固定される。
【００１３】
なお、前記押圧突起の突出量は、対向する側辺に逃げがなければ（すなわち、単に幅が狭くなるだけであれば）、フック孔の幅Wの1/2〜1/4程度であることが望ましい。対向する側辺に逃げを設けておけば、突出量はW/2〜W程度でもかまわない。
【００１４】
このような押圧突起は、左右辺の双方に設けてもよいし、左右辺にそれぞれ複数設けてもよい。
【００１５】
前記乗越部の、頸部の対応する溝からの突出量は、W/2〜W程度としておくことが望ましい。
【００１６】
前記背板には、前記フック孔を複数設けることができ、それぞれにフックを差し込むことができる。
【００１７】
前記商品吊下部には、その下方に商品を吊り下げるための吊下部を複数設けることができる。
【００１８】
前記フックは、少なくとも基端部と頸部の部分において2枚の厚紙を2つ折りにしたものであってもよい。
【発明の効果】
【００１９】
本発明に係るハンガーディスプレイは、背板もフックも厚紙製であるため、廃棄時に分別の必要がなく、また、環境に負荷を掛けることなく廃棄することができる。
【００２０】
一方、使用時には、フックが背板のフック孔に差し込まれた後は、フックは背板に確実に固定される。従って、フックの商品吊下部に吊り下げられた商品をフックから取り外す際に、一緒にフックが背板から外れるということがない。
【図面の簡単な説明】
【００２１】
【図１】本発明の一実施例であるハンガーディスプレイの側面図。
【図２】実施例のハンガーディスプレイのフックの側面図(a)及び正面図(b)。
【図３】実施例のハンガーディスプレイの背板の正面図(a)及びそのフック孔の拡大正面図(b)。
【図４】実施例のハンガーディスプレイにおけるフックの取り付け方法を示す側面図。
【図５】変形例１のハンガーディスプレイのフックの側面図(a)及びハンガーディスプレイを上から見たときの断面図(b)。
【図６】変形例２のハンガーディスプレイのフックの側面図。
【発明を実施するための形態】
【００２２】
以下、本発明の一実施例であるハンガーディスプレイ１０について図面を参照して説明する。本実施例のハンガーディスプレイ１０は、図１に示すように、厚紙製の背板１１と、この背板１１に取り付けられる複数の厚紙製のフック１２から成る。
【００２３】
図２(a)に示すように、フック１２は、前方の商品吊下部１２１と後方の基端部１２２、そして両者の境の頸部１２３から成り、頸部１２３の上下には溝１２５、１２６が形成されている。商品吊下部１２１の下側には、商品を吊下げるための吊下部１２４が前後方向に複数並んで設けられている。頸部１２３の幅（上下の溝１２５、１２６の間の距離）Lは約30mmであり、図２(b)に示すように、フック１２の厚さWは約2mmである。
【００２４】
基端部１２２は、上側において溝１２５よりも5mmだけ上方に突出しており、下側において溝１２６よりも2mmだけ下方に突出する乗越部１２７が設けられており、その後方にはアール部１２８が設けられている。
【００２５】
背板１１は、図３に示すように、縦40cm程度、横20cm程度の長方形の板であり、縦長のフック孔１１１を縦2列、横2列有している。また、上部に、吊下げ紐を取り付けるための左右1対の紐通し孔１１２を有している。
【００２６】
フック孔１１１は、図３(b)に示すように、縦30mm程度の縦に長い略長方形の、背板１１を貫通する孔である。フック孔１１１は基本的形状としては、幅Wの上辺と幅Wの下辺を持つ縦長の長方形であるが、上方において左辺に突出量W/2の凸部１１２ａ、それに対向する右辺に深さW/2の凹部１１２ｂを、同様に、下方において右辺に突出量W/2の凸部１１３ａ、左辺に深さW/2の凹部１１３ｂを有する。
【００２７】
なお、本実施例のハンガーディスプレイ１０について述べたフック１２、背板１１、フック孔１１１の寸法や数などはあくまで一例にしか過ぎず、本発明の趣旨を損なわない範囲内で、使用する厚紙の特性等を考慮して適宜変更することができる。また、乗越部１２７やアール部１２８の上下は任意であり、上記とは逆に基端部１２２の上側に設けられていてもよい。
【００２８】
本実施例に係るハンガーディスプレイ１０の組み立て方法は次の通りである。
まず、図４に示すように、フック１２の基端部１２２を上側から先にフック孔１１１に挿入し、上側の溝１２５をフック孔１１１の上端に押しつける。そしてフック１２をフック孔１１１に押しつける。これにより、基端部１２２及び左右の凸部１１２ａ、１１３ａが弾性的に変形して基端部１２２が左右の凸部１１２ａ、１１３ａを乗り越え、かつ、基端部１２２の下方の乗越部１２７が同様に弾性的に変形してフック孔１１１の下端を乗り越えて、基端部１２２全体がフック孔１１１を通過する。その後、フック１２の頸部１２３が丁度フック孔１１１に係合し、フック１２が左右の凸部１１２ａ、１１３ａにより対向辺の方に押さえられて、フック１２は強く、確実にフック孔１１１に固定される。
【００２９】
上記実施例では、フック１２は全体が1枚の厚紙で構成され、全体が同じ厚みとなっているが、図５(a)に示すように、フック１３の基端部１３２側を2つ折りにして、頸部１３３を2倍の厚さとしてもよい。もちろん、図５(b)に示すように、フック孔１１１の横幅も同じく2倍にする。これによりフック１２の保持がさらに強固となる。なお、2つ折りの箇所（折り線１３４）にはハーフカット（厚紙の表面から深さ方向に入れた切り込み）を設けておき、折りやすくすることが望ましい。
【００３０】
また、上記実施例ではいずれも、フック１２の商品吊下部１２１において吊下部１２４が背板１１に対してほぼ垂直に前方に延びているが、図６に示すように、商品吊下部１４１において吊下部１４４がやや下方に傾いた方向に延びるようなフック１４を用いてもよい（変形例２）。これにより、1つのフック１４に複数の商品を吊り下げた時にすべての商品が前方から見えやすくなり、展示効果が高まる。
【符号の説明】
【００３１】
１０…ハンガーディスプレイ
１１…背板
１１１…フック孔
１１２ａ、１１３ａ…凸部
１１２ｂ、１１３ｂ…凹部
１２、１３、１４…フック
１２１、１４１…商品吊下部
１２２、１３２…基端部
１２３、１３３…頸部
１２４、１４４…吊下部
１２５、１２６…溝
１２７…乗越部
１２８…アール部
【図１】
0006557088.tif 000002
【図２】
0006557088.tif 000003
【図３】
0006557088.tif 000004
【図４】
0006557088.tif 000005
【図５】
0006557088.tif 000006
【図６】
0006557088.tif 000007